(57)【要約】      （修正有）【課題】内部からの強い背圧を抵抗し、液体の漏れを防ぐことが可能な安全コネクターを提供する。【解決手段】安全コネクター１０は、カバー２０、カバー２０と接続するベース３０及びカバー２０とベース３０の間に配置される弾性体４０を備え、ベース３０はカバー２０への方向に向かって突出するインナーチューブ３３を有し、インナーチューブ３３の開口部３３３は斜め断面３３２に設けられ、弾性体４０はブロックを有する。ブロックが斜め断面３３２に密接に取り付けて、開口部３３３を密封することによって、安全コネクター１０は強い液圧または逆流にもっと耐え得るし、よい漏れ防止効果がある。【選択図】図２
0003207100.tif 000002
【実用新案登録請求の範囲】
【請求項１】
カバー、ベース及び弾性体を備え、
前記カバーは、第一ネック部、第一環状壁部及び第二環状壁部を備え、前記第一ネック部の一端が前記第一環状壁部と接続され、別の一端が前記第二環状壁部と接続され、前記第二環状壁部は端部を有し、前記第一ネック部と前記第一環状壁部と前記第二環状壁部に囲まれて第一トンネルを構成し、前記第一ネック部の内壁面には押圧部が設けられて、前記押圧部の内径は前記第一環状壁部から前記第二環状壁部への方向に増し、
前記ベースは、連接部、第三環状壁部及びインナーチューブを備え、前記連接部は片側に表面を有し、前記第三環状壁部と前記インナーチューブは前記連接部の前記表面がある片側から延びて形成され、前記インナーチューブはトップ部を有し、且つ前記トップ部には斜め断面を含み、前記インナーチューブの開口部は前記斜め断面に設けられ、
前記弾性体は、頭部、第二ネック部および本体を備え、前記頭部は前記第二ネック部の一方の側から延びさせて閉じた端部に形成され、前記本体は前記第二ネック部の別の一方の側から延びさせて開いた端部に形成され、且つ前記開いた端部から外向きに延びるように封止部を形成し、前記第二ネック部は内壁面から突出したブロックを有し、前記本体とともに、内部に第二トンネルが含まれ、前記封止部は前記表面と前記第二環状壁部の端部の間に配置し、前記押圧部は前記第二ネック部に密接に取り付け、前記ブロックは前記インナーチューブの前記開口部に当接することを特徴とする安全コネクター。
【請求項２】
前記インナーチューブは前記斜め断面の頂部から延びて突出するガイド部をさらに含むことを特徴とする請求項１に記載の安全コネクター。
【請求項３】
前記第二環状壁部は収容溝を有し、前記第三環状壁部はフランジを有し、前記フランジは前記収容溝に噛み合わせることを特徴とする請求項１に記載の安全コネクター。
【請求項４】
前記封止部は前記頭部への方向に向けて突出する第一弾性リングをさらに含むことを特徴とする請求項１に記載の安全コネクター。
【請求項５】
前記封止部は前記頭部から離れる方向に突出する第二弾性リングをさらに含むことを特徴とする請求項１または請求項４に記載の安全コネクター。
【請求項６】
前記本体は前記第二環状壁部への方向に向けて突出する第三弾性リングを含むこと特徴とする請求項１に記載の安全コネクター。
【考案の詳細な説明】
【技術分野】
【０００１】
本考案は、医療器材、特に鋭い針を使用しない安全コネクターに関するものである。
【背景技術】
【０００２】
従来の医療処置は常に様々な輸液パイプを利用して、患者に薬剤の投与、採血、点滴静脈注射などの液体の吸引や注入ことをする。輸液コネクターは様々な輸液パイプを接続され、液体の吸引または注入のバルブとしてある。近年、医療従事者のセキュリティの重視が高まり、多くの医療機関は鋭い針を不要の安全コネクタを使用する。
【０００３】
特許文献1により提示された従来の安全コネクターはコネクターベース、アダプターキャップと弾性プラグバルブを含める。コネクターベースは留置チューブと接続し、アダプターキャップの方向に向かって突出するテーパ状の針を備える。アダプターキャップはコネクターベースに取り付けられ、外部注射器または点滴チューブと組み合わせる。テーパ状の針は側壁に貫通孔を開け、弾性プラグバルブはコネクターベースとアダプターキャップの間に形成した容置空間に収容し、テーパ状の針を覆る。弾性プラグバルブはさらにシール部を有し、液体の漏れを抵抗及び逆流を防ぐように、シール部は貫通孔に密接する。
【０００４】
しかしながら、上述の従来の安全コネクターが強い逆流の場合には、逆流した液体は貫通孔を通って弾性プラグバルブの内壁に流れ、その後、弾性プラグバルブの外壁に流れ、安全コネクター内の空間を充填する。そうしたら、次の輸液する時、空間に残された液体は、新たな輸液とを混合させ、感染のリスクを増大する可能性もある。
【０００５】
上述したことにより、従来の安全コネクターはまだ改善の必要がある。
【先行技術文献】
【特許文献】
【０００６】
【特許文献１】台湾実用新案TWM480392号公報
【考案の概要】
【考案が解決しようとする課題】
【０００７】
本考案は、内部からの強い背圧を抵抗し、液体の漏れを防ぐことが可能な安全コネクターを提供することを主な目的とする。
【課題を解決するための手段】
【０００８】
上述の目的を達成するために、本考案はカバー、ベース及び弾性体を備える安全コネクターを提供する。カバーは、第一ネック部、第一環状壁部及び端部がある第二環状壁部を有する。第一ネック部の一端が第一環状壁部と接続され、別の一端が第二環状壁部と接続される。第一ネック部と第一環状壁部と第二環状壁部に囲まれて第一トンネルを構成する。第一ネック部の内壁面には押圧部が設けられて、押圧部の内径は第一環状壁部から第二環状壁部への方向に増やす。ベースは、片側に表面を有する連接部と、連接部に表面がある片側から延びてなる第三環状壁部およびインナーチューブとを備える。インナーチューブはトップ部を有し且つトップ部には斜め断面を備え、インナーチューブの開口部が斜め断面に設けられる。弾性体は本体と、第二ネック部と、第二ネック部の一方の側から延びさせて閉じた端部になる頭部とを備える。本体は第二ネック部の別の一方の側から延びさせて開いた端部をなって、さらに開いた端部から外向きに延びるように封止部を形成する。第二ネック部は本体の中とともに第二トンネルが含まれる。封止部は表面と第二環状壁の端部の間に配置し、押圧部は第二ネック部に密接に取り付ける。さらに、第二ネック部の内壁面から突出したブロックはインナーチューブの開口部に当接する。
【０００９】
封止部は頭部への方向に向けて突出する第一弾性リングを更に有する安全コネクターを提供している。
【００１０】
封止部は頭部から離れる方向に突出する第二弾性リングを更に有する安全コネクターを提供している。
【００１１】
また、本考案の別の目的は、簡単に組み立てられる安全コネクターを提供する。
【００１２】
収容溝を有する第二環状壁部と、フランジを有する第三環状壁とを備えて、そしてフランジと収容溝を互いに噛み合わせる安全コネクターを提供する。
【００１３】
また、本考案の別の目的は、耐久性である安全コネクターを提供する。
【００１４】
封止部は斜め断面の頂部から延びて突出するガイド部を更に有する安全コネクターを提供する。
【００１５】
弾性体の本体には、第二環状壁部への方向に向けて突出する第三弾性リングを更に有する安全コネクターを提供する。
【００１６】
上述した構造により、ブロックがインナーチューブの開口部に当接することで、且つ押圧部と第二ネック部を互いに対応することにより、ブロックにはより圧力をかけることができ、優れた逆流を防ぐ効果を得ることができる。
【００１７】
本考案による安全コネクターの詳細な特徴は、以下の詳細な説明を通して明確にする。また、以下の詳細な説明および本考案により提示された実施形態は本考案を説明するための一例に過ぎず、本考案の請求範囲を限定できないことは、本考案にかかわる領域において常識がある人ならば理解できるはずである。
【図面の簡単な説明】
【００１８】
【図１】本考案の一実施形態による安全コネクターを示す斜視図である。
【図２】本考案の一実施形態による安全コネクターを示す分解斜視図である。
【図３】本考案の一実施形態による安全コネクターを示す断面分解図である。
【図４】本考案の一実施形態による安全コネクターを示す断面図である。
【図５】本考案の一実施形態による安全コネクターとシリンジ接続して輸液する状態を示す断面図である。
【図６】本考案の一実施形態による安全コネクターとシリンジを分離すると、液体の逆流する状態を示す断面図である。
【考案を実施するための形態】
【００１９】
（一実施形態）
図１から図３に示すように、本考案の一実施形態による安全コネクター１０は、カバー２０と、ベース３０と、弾性体４０とを含める。
【００２０】
カバー２０は、第一ネック部２１、第一環状壁部２２及び第二環状壁部２３を備える。第一ネック部２１の一端が第一環状壁部２２と接続され、別の一端が第二環状壁部２３と接続される。第一ネック部２１と第一環状壁部２２と第二環状壁部２３に囲まれて第一トンネル２４を構成する。図３に示すように、第一ネック部２１の内壁面には押圧部が設けられて、押圧部２１１の内径D１は第一環状壁部２２から第二環状壁部２３への方向に増やして、斜面になる。第二環状壁部２３は端部２３１を有する。
【００２１】
ベース３０は、片側に表面３１１を有する連接部３１と、表面３１１を有する片側から第一環状壁部２２の方向へ延びてなる第三環状壁部３２およびインナーチューブ３３とを備える。インナーチューブ３３は第三環状壁部３２に囲まれて、トップ部３３１を有し、且つトップ部３３１が第一環状壁部２２に隣接する場所に斜め断面３３２を形成する。斜め断面３３２はインナチューブ３３の内壁面から外壁面へ、さらに外壁面から表面３１１へ行く方向に傾斜させ、平坦な面になる。インナーチューブ３３の開口部３３３は斜め断面３３２の上に設けられる。インナーチューブ３３はガイド部３３４を更に有し、ガイド部３３４は針もとの先端のようなパターンで、斜め断面３３２の頂部から表面３１１に離れる方向へ延びして突出することである。連接部３１はインナーチューブ３３と接続する輸液管３１２と、輸液管３１２の外囲を囲む第四環状壁部３１３とを備える。輸液管３１２ではほかの輸液管と連通させ、例えば留置針。第四環状壁部３１３の内壁面には複数のねじ溝を持って、外部ノズルに締め付けられる。
【００２２】
弾性体４０は、頭部４１、第二ネック部４２及び本体４３を有する。頭部４１は第二ネック部４２の一方の側から延びさせて閉じた端部４１１に形成される。本体４３は第二ネック部４２の別の一方の側から延びさせて開いた端部４３１になって、更に、開いた端部４３１から外向きに延びるように封止部４４を形成される。第二ネック部４２の外径D３は頭部４１から本体４３への方向に徐々に増加し、別の斜面になることによって、第二ネック部４２の外壁面４２１は押圧部２１１を互いに対応される。第二ネック部４２は本体４３の中とともに第二トンネル４５が含まれる。ブロック４２２は第二ネック部４２の内壁面から突出して形成する。
【００２３】
図１、図３及び図４に示すように、安全コネクター１０を組み合わせる際、まず弾性体４０は開いた端部４３１からベース３０の第三環状壁部３２の中に配置されて、カバー２０は第二環状壁部２３の端部２３１の方向へ弾性体４０の外側を覆う。それで、第二環状壁部２３は第三環状壁部３２の内部に配置し、封止部４４は表面３１１と第二環状壁部２３の端部２３１の間に配置し、弾性体４０の本体４３は第二環状壁部２３の内部に配置し、第二ネック部４２は押圧部２１１に密接に取り付けて、頭部４１は第一環状壁部２２の内部に配置し、第一トンネル２４を密封する。ブロックはインナーチューブ３３の開口部３３３に当接する。
【００２４】
図５及び図６に示すように、ユーザーは安全コネクター１０に介して輸液する場合、シリンジノズル９０が第一環状壁部２２に挿入することにより、弾性体４０の頭部４１が第二環状壁部２３の端部２３１に押されて、インナーチューブ３３のガイド部３３４が頭部４１を通り抜けされる。開口部３３３が閉じた端部４１１から突出してシリンジノズル９０の空間９１とを接続するまで、頭部４１は押し下げ続け、斜め断面３３２及びインナーチューブ３３の外壁面に沿って移動する。この場合、ユーザは需要に応じて液体の注入または吸引をすることができる。
【００２５】
輸液が終わる場合、単に第一環状壁部２２からシリンジノズル９０を取り外して、弾性体４０の頭部４１は自身の弾性によって第一環状壁部２２に戻って、弾性体４０のブロック４２２も開口部３３３に押しつける場所に戻る。その時、圧力で第二ネック部４２と第一ネック部２１とを密接に取り付けさせて、第二ネック部４２の外壁面４２１と第一ネック部２１の内壁面２１１とを互いに対応付けた斜面によって、ブロック４２２が開口部３３３に対する圧力を増加させて、効果的にインナーチューブ３３から高圧逆流した液体を抵抗し、液体の漏れを防ぐ。なお、液体をインナーチューブ３３から安全コネクター１０へ漏れないので、逆流を防止することができる。
【００２６】
ちなみに、インナーチューブ３３がガイド部３３４をなくても、斜め断面３３２の頂部によって、頭部４１に通り抜けられることができるが、ガイド部３３４はインナーチューブ３３を頭部４１に通り抜けることが確保できるし、更に、弾性体４０がインナーチューブ３３を覆う時、ブロック４２２がちょうど開口部３３３に当接することも確保する。なお、表面３１１と第二環状壁部２３の端部２３１の間の隙間を封止部４４で密封することにより、液体の漏れを防ぐ。それで、本考案の安全コネクター１０は、より優れた漏れ防止効果ができて、強い液圧または逆流にもっと耐え得るし、より速い流量の場合でも順調に動作させることができる。
【００２７】
漏れ防止効果を高めるために、封止部４４は頭部４１への方向に向けて突出する第一弾性リング４４１を更に有し、第一弾性リング４４１で第二環状壁部２３の端部２３１と封止部４４の間の隙間を密封される。
【００２８】
漏れ防止効果が高まるため、封止部４４は頭部４１から離れる方向に突出する第二弾性リング４４２を更に有し、第二弾性リング４４２で表面３１１と封止部４４の間の隙間を密封される。第二弾性リング４４２を有する安全コネクター１０は、もう漏れ防止効果があるし、それ以上もっと第二弾性リング４４２があると、より良い効果になる。
【００２９】
簡単に組み立てられるため、第二環状壁部２３は収容溝２３２を有し、第三環状壁３２はフランジ３２１を備えて、そしてフランジ３２１と収容溝２３２を互いに噛み合わせると、カバー２０とベース３０の組み立てを出来上がる。更に、弾性体４０はインナーチューブ３３を覆う時、ガイド部３３４を介して、ブロック４２２が正しく開口部３３３に当接する。つまり、ガイド部３３４は仕組みでポカヨケ効果が提供できる。
【００３０】
弾性体４０をより耐久性にするために、本体４３の外周面には複数の第三弾性リング４３２を有し、第三弾性リング４３２は第二環状壁部２３への方向に向けて突出する。第三弾性リング４３２は本体４３の壁厚さD２を増加させるだけではなく、外周面の長さも増加させる。それで、本体４３はより曲げられて、回復される。
【００３１】
上記の図示および記載された詳細な説明は、本考案の技術内容および特徴を説明した一実施形態を提供するものであり、本考案にかかわる領域において常識がある人ならば、本考案の範囲及び趣旨を逸脱することなく、種々の変形例、修正及び変更を加えることが下記に示す請求の範囲に属することが理解できるはずである。
【符号の説明】
【００３２】
１０：安全コネクター
２０：カバー            ２１：第一ネック部
２１１：押圧部        ２２：第一環状壁部
２３：第二環状壁部        ２３１：端部
２３２：収容溝        ２４：第一トンネル
３０：ベース        ３１：連接部
３１１：表面            ３１２：輸液管
３１３：第四環状壁部        ３２：第三環状壁部
３２１：フランジ        ３３：インナーチューブ
３３１：トップ部        ３３２：斜め断面
３３３：開口部    ３３４：ガイド部
４０：弾性体            ４１：頭部
４１１：閉じた端部        ４２：第二ネック部
４２１：外壁面        ４２２：ブロック
４３：本体            ４３１：開いた端部
４３２：第三弾性リング    ４４：封止部
４４１：第一弾性リング    ４４２：第二弾性リング
４５：第二トンネル
９０：シリンジノズル        ９１：空間
D１：内径            D２：壁厚さ
D３：外径
【図１】
0003207100.tif 000003
【図２】
0003207100.tif 000004
【図３】
0003207100.tif 000005
【図４】
0003207100.tif 000006
【図５】
0003207100.tif 000007
【図６】
0003207100.tif 000008